【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
生体データを計測して暗号化する計測機器と、前記生体データを暗号化した暗号化生体データを前記計測機器から取得し健康に関するサービスを提供するサーバと、前記暗号化生体データを復号する復号鍵を前記サーバに提供する鍵管理サーバとを含むヘルスケアシステムであって、
前記計測機器は、
前記生体データを計測する計測部と、
前記計測機器を識別する第１識別情報を格納している第１記憶部と、
前記第１識別情報から所定の暗号鍵を生成する第１鍵生成部と、
前記所定の暗号鍵を用いて前記生体データを暗号化して暗号化生体データを生成する暗号部と、
前記第１識別情報、前記生体データの種類を識別する第２識別情報及び前記暗号化生体データを前記サーバに送信する第１通信部と、を具備し、
前記サーバは、
前記計測機器から受信した前記第１識別情報、前記生体データの種類を識別する第２識別情報及び前記暗号化生体データを格納する第２記憶部と、
前記サーバを識別する第３識別情報を記憶している第３記憶部と、
前記所定の暗号鍵に対応する所定の復号鍵を前記サーバに送信する旨の要求を前記第１識別情報、前記第２識別情報及び前記第３識別情報と共に前記鍵管理サーバに送信する第２通信部と、を具備し、
前記鍵管理サーバは、
前記第１識別情報から前記所定の暗号鍵に対応する所定の復号鍵を生成する第２鍵生成部と、
前記所定の復号鍵の送信対象であるサーバを識別する第４識別情報とこの第４識別情報に対応して前記サーバが管理する生体データの種類を示す第５識別情報とを記憶している第４記憶部と、
前記所定の復号鍵を前記サーバに送信する旨の要求を前記第１識別情報、前記第２識別情報及び前記第３識別情報と共に前記サーバから受信すると、前記受信した第３識別情報と前記記憶している第４識別情報とが一致し且つ前記受信した第２識別情報と前記第４識別情報に対応して記憶している第５識別情報とが一致した場合、前記所定の復号鍵を前記サーバに送信する制御部と、を具備し、
前記サーバは、前記所定の復号鍵を用いて前記暗号化生体データを復号することを特徴とする
ヘルスケアシステム。
【請求項２】
生体データを計測して暗号化する計測機器と、前記生体データを暗号化した暗号化生体データを前記計測機器から取得し健康に関するサービスを提供するサーバと、前記暗号化生体データを復号する復号鍵を前記サーバに提供する鍵管理サーバとを含むヘルスケアシステムであって、
前記計測機器は、
前記生体データを計測する計測部と、
前記計測機器を識別する第１識別情報を格納している第１記憶部と、
前記第１識別情報から所定の暗号鍵を生成する第１鍵生成部と、
前記所定の暗号鍵を用いて前記生体データを暗号化して暗号化生体データを生成する暗号部と、
前記第１識別情報及び前記暗号化生体データを前記サーバに送信する第１通信部と、を具備し、
前記サーバは、
前記計測機器から受信した第１識別情報及び暗号化生体データを格納する第２記憶部と、
前記サーバを識別する第２識別情報を記憶している第３記憶部と、
前記所定の暗号鍵に対応する所定の復号鍵を前記サーバに送信する旨の要求を前記第１識別情報及び前記第２識別情報と共に前記鍵管理サーバに送信する第２通信部と、を具備し、
前記鍵管理サーバは、
前記計測機器を識別する第１識別情報に対応して前記計測機器が計測する生体データの種類を格納している第４記憶部と、
前記サーバを識別する第２識別情報に対応して前記サーバが管理する生体データの種類を記憶している第５記憶部と、
前記第１識別情報から前記所定の暗号鍵に対応する所定の復号鍵を生成する第２鍵生成部と、
前記所定の復号鍵を前記サーバに送信する旨の要求を前記第１識別情報及び前記第２識別情報と共に前記サーバから受信すると、前記第４記憶部に格納されている、前記受信した第１識別情報に対応する生体データの種類と、前記第５記憶部に記憶されている、前記受信した第２識別情報に対応する生体データの種類と、が一致した場合、前記所定の復号鍵を前記サーバに送信する制御部と、を具備し、
前記サーバは、前記所定の復号鍵を用いて前記暗号化生体データを復号することを特徴とする
ヘルスケアシステム。
【請求項３】
前記計測機器は、所定の暗号化装置と接続可能であって、前記所定の暗号化装置が、前記第１識別情報から所定の暗号鍵を生成する前記第１鍵生成部と、前記所定の暗号鍵を用いて前記生体データを暗号化して暗号化生体データを生成する前記暗号部と、前記暗号化生体データを前記サーバに送信する前記第１通信部と、を有することを特徴とする
請求項１又は請求項２のいずれかに記載のヘルスケアシステム。
【請求項４】
前記所定の暗号化装置は、前記計測機器に装着されるメモリカードであることを特徴とする
請求項３記載のヘルスケアシステム。
【請求項５】
前記計測機器は、さらに、
マスター鍵を保有する第１マスター鍵保有部を有し、
前記第１鍵生成部は、前記第１識別情報及び前記マスター鍵から前記所定の暗号鍵を生成し、
前記鍵管理サーバは、さらに、
前記マスター鍵と同一のマスター鍵を保有する第２マスター鍵保有部を有し、
前記第２鍵生成部は、前記第１識別情報及び前記マスター鍵から前記所定の暗号鍵に対応する所定の復号鍵を生成することを特徴とする
請求項１又は請求項２のいずれかに記載のヘルスケアシステム。
【請求項６】
前記計測機器は、所定の暗号化装置と接続可能であって、前記所定の暗号化装置が、前記第１識別情報から所定の暗号鍵を生成する前記第１鍵生成部と、前記所定の暗号鍵を用いて前記生体データを暗号化して暗号化生体データを生成する前記暗号部と、マスター鍵を保有する前記第１マスター鍵保有部と、前記暗号化生体データを前記サーバに送信する前記第１通信部と、を有し、
前記第１鍵生成部は、前記第１識別情報及び前記マスター鍵から前記所定の暗号鍵を生成することを特徴とする
請求項５記載のヘルスケアシステム。
【請求項７】
前記所定の暗号化装置は、前記計測機器に装着されるメモリカードであることを特徴とする
請求項６記載のヘルスケアシステム。
【請求項８】
前記計測機器の第１鍵生成部は、前記計測機器を識別する第１識別情報を用いて前記所定の暗号鍵を公開鍵として生成し、
前記鍵管理サーバは、さらに、
前記所定の復号鍵を生成するためのマスター情報を保有するマスター情報保有部を有し、
前記第２鍵生成部は、前記受信した第１識別情報及び前記保有するマスター情報を用いて前記所定の復号鍵を前記公開鍵に対応する秘密鍵として生成することを特徴とする
請求項１又は請求項２のいずれかに記載のヘルスケアシステム。
【請求項９】
生体データを計測して暗号化する計測機器と、前記生体データを暗号化した暗号化生体データを前記計測機器から取得し健康に関するサービスを提供するサーバと、前記暗号化生体データを復号する復号鍵を前記サーバに提供する鍵管理サーバとを含むヘルスケアシステムにおける鍵管理方法であって、
前記計測機器において、
前記生体データを計測し、
前記計測機器を識別する第１識別情報から所定の暗号鍵を生成し、
前記所定の暗号鍵を用いて前記生体データを暗号化して暗号化生体データを生成し、
前記第１識別情報、前記生体データの種類を識別する第２識別情報及び前記暗号化生体データを前記サーバに送信し、
前記サーバにおいて、
前記計測機器から受信した前記第１識別情報、前記生体データの種類を識別する第２識別情報及び前記暗号化生体データを格納し、
前記所定の暗号鍵に対応する所定の復号鍵を前記サーバに送信する旨の要求を前記第１識別情報、前記第２識別情報及び前記サーバを識別する第３識別情報と共に前記鍵管理サーバに送信し、
前記鍵管理サーバにおいて、
前記所定の復号鍵を前記サーバに送信する旨の要求を前記第１識別情報、前記第２識別情報及び前記第３識別情報と共に前記サーバから受信すると、前記受信した第３識別情報と記憶している、前記所定の復号鍵の送信対象であるサーバを識別する第４識別情報とが一致し、且つ、前記受信した第２識別情報と前記第４識別情報に対応して記憶している、前記サーバが管理する生体データの種類を示す第５識別情報とが一致した場合、前記第１識別情報に基づいて生成された前記所定の暗号鍵に対応する所定の復号鍵を前記サーバに送信し、
前記サーバにおいて、前記所定の復号鍵を用いて前記暗号化生体データを復号することを特徴とする
鍵管理方法。
【請求項１０】
生体データを計測して暗号化する計測機器と、前記生体データを暗号化した暗号化生体データを前記計測機器から取得し健康に関するサービスを提供するサーバと、前記暗号化生体データを復号する復号鍵を前記サーバに提供する鍵管理サーバとを含むヘルスケアシステムにおける情報管理方法であって、
前記計測機器において、
前記生体データを計測し、
前記計測機器を識別する第１識別情報から所定の暗号鍵を生成し、
前記所定の暗号鍵を用いて前記生体データを暗号化して暗号化生体データを生成し、
前記サーバにおいて、
前記計測機器から前記第１識別情報及び前記暗号化生体データを受信し、
前記所定の暗号鍵に対応する所定の復号鍵を前記サーバに送信する旨の要求を前記第１識別情報及び前記サーバを識別する第２識別情報と共に前記鍵管理サーバに送信し、
前記鍵管理サーバにおいて、
前記計測機器を識別する第１識別情報に対応して前記計測機器が計測する生体データの種類を格納し、
前記サーバを識別する第２識別情報に対応して前記サーバが提供するサービスの種類を記憶し、
前記所定の復号鍵を前記サーバに送信する旨の要求を前記第１識別情報及び前記第２識別情報と共に前記サーバから受信すると、前記受信した第１識別情報に対応して格納している生体データの種類と前記受信した第２識別情報に対応して記憶しているサービスの種類とが関連する場合、前記第１識別情報に基づいて生成された前記所定の暗号鍵に対応する所定の復号鍵を前記サーバに送信し、
前記サーバにおいて、前記所定の復号鍵を用いて前記暗号化生体データを復号することを特徴とする
情報管理方法。
【手続補正２】
【補正対象書類名】明細書
【補正対象項目名】発明の名称
【補正方法】変更
【補正の内容】
【発明の名称】ヘルスケアシステム、鍵管理方法及び情報管理方法